(57)【要約】電気相互接続システムが、受入空洞をその中に有するプリント回路基板を備えている。少なくとも１つの回路配線が、その空洞の側壁上に配置されている。電気コネクタが、受入空洞に挿入するために構成されている。電気コネクタは、受入空洞に挿入されると少なくとも１つの回路配線と接触するように配置された電気コンタクトを有している。
2008544465.tif 000002
【特許請求の範囲】
【請求項１】
上面および下面を有するプリント回路基板と、
前記プリント回路基板内の受入空洞であって、前記プリント回路基板の前記上面から前記下面に向かって延び、少なくとも１つの側壁によって画定される受入空洞と、
前記空洞の前記少なくとも１つの側壁上の少なくとも１つの回路配線と、
前記受入空洞に挿入するために構成された電気コネクタであって、前記受入空洞に挿入されると前記少なくとも１つの回路配線と接触するように配置された電気コンタクトを有する電気コネクタと、を備える電気相互接続システム。
【請求項２】
前記電気コネクタは、電気ケーブル、フレキシブル回路、および別のプリント回路基板のうちの１つに接続される、請求項１に記載の電気相互接続システム。
【請求項３】
前記電気コネクタは、前記電気コネクタを前記受入空洞内に保持するための付勢部材を備える、請求項１に記載の電気相互接続システム。
【請求項４】
前記電気コンタクトは付勢部材を備える、請求項１に記載の電気相互接続システム。
【請求項５】
前記受入空洞は、前記プリント回路基板を不完全に貫いて前記プリント回路基板の第１の表面から第２の表面へと延びる、請求項１に記載の電気相互接続システム。
【請求項６】
前記受入空洞は、前記プリント回路基板を完全に貫いて前記プリント回路基板の第１の表面から第２の表面へと延びる、請求項１に記載の電気相互接続システム。
【請求項７】
前記受入空洞の前記少なくとも１つの側壁は、前記プリント回路基板の上面の平面に実質的に垂直である、請求項１に記載の電気相互接続システム。
【請求項８】
前記受入空洞の前記少なくとも１つの側壁は、前記プリント回路基板の上面の平面に対して傾斜している、請求項１に記載の電気相互接続システム。
【請求項９】
前記受入空洞および前記電気コネクタは、噛み合う極性化機構を備える、請求項１に記載の電気相互接続システム。
【請求項１０】
前記受入空洞の前記少なくとも１つの側壁は、曲線状の受入空洞の少なくとも一部分を画定する、請求項１に記載の電気相互接続システム。
【請求項１１】
前記受入空洞の前記少なくとも１つの側壁は、直線状の受入空洞の少なくとも一部分を画定する、請求項１に記載の電気相互接続システム。
【請求項１２】
上面および下面を有する第２のプリント回路基板と、
前記第２のプリント回路基板内の第２の受入空洞であって、前記第２のプリント回路基板の上面から下面に向かって延び、少なくとも１つの側壁によって画定される第２の受入空洞と、
前記第２の受入空洞の前記少なくとも１つの側壁上の少なくとも１つの回路配線と、をさらに備え、
前記電気コネクタは、前記第１および第２の受入空洞に挿入するために構成されており、前記第１および第２の受入空洞に挿入されると、前記第１および第２の受入空洞の前記回路配線と接触するように配置された電気コンタクトを有する、請求項１に記載の電気相互接続システム。
【請求項１３】
上面および下面を有する第２のプリント回路基板と、
前記第２のプリント回路基板内の第２の受入空洞であって、前記第２のプリント回路基板の上面から下面に向かって延び、少なくとも１つの側壁によって画定される第２の受入空洞と、
前記第２の受入空洞の前記少なくとも１つの側壁上の少なくとも１つの回路配線と、
前記第２の受入空洞に挿入するために構成された第２の電気コネクタであって、前記第２の受入空洞に挿入されると、前記第２の受入空洞の前記回路配線と接触するように配置された電気コンタクトを有する第２の電気コネクタと、をさらに備え、
前記第１および第２の電気コネクタはいずれも、電気ケーブル、フレキシブル回路、および別のプリント回路基板のうちの共通の１つに接続される、請求項１に記載の電気相互接続システム。
【請求項１４】
平坦なプリント回路基板内に形成された空洞であって、
前記プリント回路基板の平坦な表面に直角な外周縁部表面と、
前記空洞の前記外周縁部表面上の少なくとも１つの電気コンタクトと、を備える空洞と、
プラグコネクタであって、
前記空洞に挿入するために構成された誘電体と、
前記誘電体上に保持された少なくとも１つの電気コンタクトであって、前記プラグコネクタの前記少なくとも１つの電気コンタクトは、前記プラグコネクタが前記空洞に挿入されると、前記空洞の前記少なくとも１つの電気コンタクトと係合するように配置される電気コンタクトと、を備えるプラグコネクタと、を備える電気相互接続システム。
【請求項１５】
前記空洞の前記外周縁部表面は閉じた形状を画定する、請求項１４に記載の電気相互接続システム。
【請求項１６】
前記空洞の前記外周縁部表面は開いた形状を画定する、請求項１４に記載の電気相互接続システム。
【請求項１７】
前記プラグコネクタの前記電気コンタクトは付勢部材を備える、請求項１４に記載の電気相互接続システム。
【請求項１８】
前記付勢部材は、前記プリント回路基板の前記平坦な表面に実質的に平行な力を及ぼす、請求項１７に記載の電気相互接続システム。
【請求項１９】
前記電気コンタクトは、前記空洞とプラグコネクタの少なくとも２つの側部上に配置される、請求項１４に記載の電気相互接続システム。
【請求項２０】
プリント回路基板内に形成された空洞であって、その内側縁部表面上に電気コンタクトを有する空洞を有するプリント回路基板に接続するための電気コネクタであって、
前記プリント回路基板の空洞に挿入するために構成された誘電体と、
前記誘電体の外面に保持された電気コンタクトであって、前記コネクタのその電気コンタクトは、前記コネクタが前記空洞に挿入されると、前記空洞内の前記電気コンタクトと係合するように配置される電気コンタクトと、を備える電気コネクタ。
【請求項２１】
前記プリント回路基板の空洞は、その空洞の対向する内側縁部表面上に電気コンタクトを有し、前記電気コネクタは、前記誘電体の対向側部上の電気コンタクトをさらに備え、前記コネクタの前記電気コンタクトは、前記コネクタが前記空洞に挿入されると、前記空洞内の前記電気コンタクトと係合するように配置される、請求項２０に記載の電気コネクタ。
【請求項２２】
前記誘電体は、第１のプリント回路基板の空洞に挿入するために構成された第１の部分と、第２のプリント回路基板の空洞に挿入するために構成された第２の部分とを備え、前記第１および第２の部分はそれぞれ、前記コネクタが前記空洞に挿入されると、前記第１および第２のプリント回路基板の対応する空洞内の電気コンタクトと係合するように配置された電気コンタクトを有する、請求項２０に記載の電気コネクタ。
【請求項２３】
前記空洞内の前記電気コンタクトと前記電気コネクタの前記電気コンタクトとの間の係合力は、前記プリント回路基板によって画定される平面に実質的に平行である、請求項２０に記載の電気コネクタ。
【請求項２４】
前記電気コネクタの前記電気コンタクトは機械的順応性を有する、請求項２０に記載の電気コネクタ。
【請求項２５】
前記誘電体は機械的順応性を有する、請求項２０に記載の電気コネクタ。
【発明の詳細な説明】
【技術分野】
【０００１】
本発明は、電気相互接続システムに関し、具体的には、プリント回路基板と共に使用するための電気相互接続システムに関する。
【背景技術】
【０００２】
多くの電子装置において、プリント回路基板を電気ケーブル、フレキシブル回路に、または別のプリント回路基板に接続することが望まれる。電子装置はより小型となっているため、プリント回路基板へ接続するために利用できる空間は、より少なくなっている。
【発明の開示】
【発明が解決しようとする課題】
【０００３】
常により小型の電子装置へと向かう傾向が続く中で、プリント回路基板の表面上で占める面積を最小にする電気相互接続システムが強く望まれている。
【課題を解決するための手段】
【０００４】
本明細書で説明する本発明の一態様は、電気相互接続システムを提供する。本発明による一実施形態において、電気相互接続システムは、上面および下面を有するプリント回路基板を備えている。少なくとも１つの側壁によって画定される受入空洞が、プリント回路基板の上面から下面に向かって延びている。少なくとも１つの回路配線が、その空洞の少なくとも１つの側壁上に配置されている。電気コネクタが、受入空洞に挿入するために構成されている。電気コネクタは、受入空洞に挿入されると少なくとも１つの回路配線と接触するように配置された電気コンタクトを有している。
【０００５】
本発明による別の実施形態において、電気相互接続システムは、平坦なプリント回路基板内に形成された空洞と、プラグコネクタとを備えている。その空洞は、プリント回路基板の平坦な表面に直角な外周縁部表面と、その空洞の外周縁部表面上の複数の電気コンタクトとを有している。プラグコネクタは、空洞に挿入するために構成された誘電体と、その誘電体上に保持された複数の電気コンタクトとを備えている。プラグコネクタの電気コンタクトは、プラグコネクタが空洞に挿入されると空洞の電気コンタクトと係合するように配置されている。
【０００６】
本明細書で説明する本発明の別の態様は、プリント回路基板に接続するための電気コネクタを提供する。本発明による一実施形態において、電気コネクタは、中に空洞が形成されたプリント回路基板に接続するためのものであり、その空洞は、その内側縁部表面上に電気コンタクトを有している。電気コネクタは、プリント回路基板の空洞に挿入するために構成された誘電体と、その誘電体の外面で保持された電気コンタクトとを備えている。コネクタの電気コンタクトは、コネクタが空洞に挿入されると空洞内の電気コンタクトと係合するように配置されている。
【０００７】
本明細書で説明する本発明の別の態様は、電気コネクタをプリント回路基板に接続する方法を提供する。一実施形態において、その方法は、空洞を中に有するプリント回路基板を用意するステップを含み、その空洞は、プリント回路基板の平面に直角な縁部によって画定され、また縁部表面上に電気コンタクトを有している。あるコネクタが空洞に挿入されるが、そのコネクタは、その外面に電気コンタクトを有しており、そのコネクタのその電気コンタクトは、コネクタが空洞に挿入されると空洞内の電気コンタクトと係合するように配置されている。
【発明を実施するための最良の形態】
【０００８】
以下に、好ましい実施形態について詳しく説明する中で、その一部を成す添付の図面を参照する。添付の図面は、実例として、本発明を実施することができる具体的な実施形態を示す。他の実施形態を使用してもよく、また本発明の範囲から逸脱することなく構造上または論理上の変更を成してもよいことを理解されたい。したがって、以下の詳細説明は、制限する意味で理解されるべきではなく、また、本発明の範囲は、添付の特許請求の範囲によって定義される。
【０００９】
図１および２は、本発明による電気相互接続システム２０の一実施形態を示す。電気相互接続システム２０は、プリント回路基板２２と、噛み合う電気コネクタ２４とを備えている。プリント回路基板２２は、Ｘ−Ｙ平面を画定している。ソケットまたは受入空洞２６が、そのＸ−Ｙ平面に直角な方向で、プリント回路基板２２内へ基板の上面２８から基板の下面３０に向かって延びている。一実施形態において、受入空洞２６は、プリント回路基板２２を不完全に貫いて延びており、下面３２を有している。別の実施形態において、受入空洞２６は、プリント回路基板２２を完全に貫いて延びている。受入空洞２６の周辺形状は、１つ以上の側壁３４によって画定されている。受入空洞２６は、直線形状および曲線形状を含んだ、所望のまたは好適ないかなる周辺形状を有してもよい（図１１）。一実施形態において、受入空洞２６の側壁３４は、プリント回路基板２２のＸ−Ｙ平面に実質的に垂直である。別の実施形態において、受入空洞２６の１つ以上の側壁３４は、プリント回路基板２２のＸ−Ｙ平面に対して傾斜している（図１２）。一実施形態において、受入空洞２６の周辺部は、プリント回路基板２２の外周縁部４０から離れて配置されている。別の実施形態において、受入空洞２６は、プリント回路基板２２の外周縁部４０と交差しており、その結果、少なくとも１つの側面において、受入空洞２６は、プリント回路基板２２の縁部４０へと開いている（図５）。
【００１０】
プリント回路基板２２は、１つ以上の回路配線４４を備えている。一実施形態において、回路配線４４は、プリント回路基板２２の上面２８および／または下面３０上に配置されている。別の実施形態において、回路配線４４は、プリント回路基板２２の内層（図示せず）内に配置されている。プリント回路基板２２の少なくとも１つの回路配線４４は、受入空洞２６の側壁３４の少なくとも１つの上に延びており、したがって、その回路配線４４の、受入空洞２６の側壁３４の上の部分は、プリント回路基板２２のＸ−Ｙ平面に直角な方向に延びている。回路配線４４の、受入空洞２６の側壁３４の上の部分は、本明細書において通常（側壁３４が、プリント回路基板２２のＸ−Ｙ平面に垂直または直角でない場合でも）、「垂直回路配線」と呼ばれることがある。図示した実施形態において、回路配線４４は、受入空洞２６の２つの対向する側壁３４上に配置されている。一実施形態において、回路配線４４は、たとえば、受入空洞２６の１つの側部上にのみ、受入空洞２６の隣接する側部上に、または受入空洞２６の各側部上に配置されている。
【００１１】
受入空洞２６の側壁３４上の回路配線４４（「垂直回路配線」）は、任意の好適な方法を用いて形成される。一実施形態においては、側壁３４が導電材料でメッキされ、次いでその導電材料の不必要な部分が、機械的かつ／または化学的な手段で除去されて垂直回路配線が形成される。別の実施形態においては、１つ以上のスルーホールが、これから形成される側壁３４の縁部でプリント回路基板２２内に形成される。そのスルーホールは導電材料でメッキされ、次いで、側壁３４は、材料をフライス削りし、メッキされたスルーホールの、垂直配線を形成する部分を残すことによって形成される。
【００１２】
プラグ型の電気コネクタ２４は、受入空洞２６内に挿入するために構成されている。電気コネクタ２４は、１つ以上の電気コンタクト５２を有する絶縁誘電体５０を備えており、その電気コンタクト５２は、誘電体５０の１つ以上の外側面５４で保持された信号または接地コンタクトであってもよい。電気コンタクト５２は、電気コネクタ２４が受入空洞２６に挿入されると、受入空洞２６の側壁３４上の回路配線４４と接触するように配置されている。電気コネクタ２４は、噛み合うプリント回路基板２２と電気コネクタ２４との間のいかなる必要な順応性をももたらす。コネクタ２４の電気コンタクト５２と受入空洞２６内の回路配線４４との間の係合力は、回路配線４４を支持する側壁３４の平面に実質的に垂直である。したがって、側壁３４がプリント回路基板２２のＸ−Ｙ平面に垂直であるとき、コネクタ２４の電気コンタクト５２と受入空洞２６内の回路配線４４との間の係合力は、プリント回路基板２２のＸ−Ｙ平面に実質的に平行である。一実施形態において、電気コンタクト５２は、電気コネクタ２４が受入空洞２６に挿入されたときに撓む弾性部材である。図示した実施形態において、電気コンタクト５２は、電気コネクタ２４が受入空洞２６に挿入されたときに内向きに撓むＵ字型部材である（図２）。別の実施形態において、電気コネクタ２４の誘電体５０はそれ自体、機械的順応性を有しており、したがって、誘電体５０は、電気コネクタ２４が受入空洞２６に挿入されると変形する。電気コネクタ２４は、相互接続システム２０のインピーダンス制御を改善するために、プリント回路基板２２の平面の上方で誘電体５０上に配置された導電性シールド部材を所望により備えている。
【００１３】
一実施形態において、電気コネクタ２４および受入空洞２６は、電気コネクタ２４が受入空洞２６内で間違って方向付けられるのを防止するために、極性化機構および／またはキーイング機構５１ａ、５１ｂを備えている。例示的な極性化機構を図１３に示す。一実施形態において、電気コネクタ２４および受入空洞２６はまた、電気コネクタ２４を受入空洞２６内に維持するために、協働するラッチ機構または保持機構を有してもよい。たとえば、図１で最もよく分かるように、コネクタ２４は、プリント回路基板２２内の溝６６ｂと係合するためのタブ６６ａを備えている。
【００１４】
複数の電気ケーブル７０に接続された、図１および２の電気コネクタが示してあるが、一実施形態において、コネクタ２４および空洞２６は、単一のケーブル７０と共に使用するように寸法決めされ構成されている。ケーブル７０は、例えば、別個の同軸ケーブルもしくは二軸ケーブル、またはリボンケーブルであってもよい。電気コネクタ２４の電気コンタクト５２は、当該技術分野において既知であるように、ケーブル７０の導電性部材に電気的に接続されている。たとえば、電気コネクタ２４の電気コンタクト５２は、はんだ付け、圧着、または圧接接続法によってケーブル７０の信号導体７２および／または接地導体７４に取り付けられてもよい。絶縁層（図示せず）が、信号導体７２を接地導体７４から分離している。
【００１５】
図１および２の電気相互接続システムは、単一の電気コネクタ２４とプリント回路基板２２とを備えている。しかしながら、本発明による別の実施形態において、相互接続システムは、１つ以上の電気コネクタ２４とプリント回路基板２２とを備えている。図３および４を参照すると、図１および２の電気相互接続システム２０が、第２のプリント回路基板１２２と噛み合うための第２の電気コネクタ１２４にケーブル７０を取り付けた状態で示されており、そのプリント回路基板１２２は、それを完全に貫いて延びる受入空洞１２６を有している。第２のプリント回路基板１２２の受入空洞１２６は、少なくとも１つの回路配線１４４を受入空洞１２６の少なくとも１つの側壁１３４上に（図７に最良に示される）備えている。第２の電気コネクタ１２４は、ケーブル７０に取付けるために、また、第２のプリント回路基板１２２の受入空洞１２６に挿入するために構成されている。第２の電気コネクタ１２４は、上述の電気コネクタと同様に構成されているが、ケーブル７０が第２の電気コネクタ１２４を貫いて第１の電気コネクタ２４へと延びることが可能となっている。このようにして、個別のケーブル７０を、第１および第２のプリント回路基板２２、１２２の一方または双方にそれぞれ選択的に接続することができる。このことは、たとえば、ケーブル外被に「窓」を開き、その窓内で接地導体７４の一部分と絶縁層（図示せず）とを広げ、その窓を通じて信号コンタクト５２を信号導体７２に成端することによって達成することができる。
【００１６】
ここで図５〜８を参照すると、本発明による電気相互接続システムの別の実施形態が示されており、ここで、図１〜４に関連して説明した要素と類似した要素は、同様に符号が付けられている。図５〜８の実施形態において、電気コネクタ２２４が、電気ケーブルへではなくプリント回路基板８０（「ドーターカード８０」）へ取り付けるために構成されている。プリント回路基板２２および受入空洞２６は、ドーターカード８０が電気コネクタ２２４の長さよりも長い場合、受入空洞２６の長さがドーターカード８０を収容するように電気コネクタ２２４の長さよりも長くなっていてもよいことを除き、図１〜４に関連して説明したものと類似している。一実施形態において、受入空洞２６は、プリント回路基板２２の少なくとも１つの縁部４０に延びている。
図６を参照すると、電気コネクタ２２４が絶縁誘電体２５０を備えており、その絶縁誘電体２５０は、誘電体２５０の１つ以上の外側面２５４で保持される１つ以上の信号コンタクト２５２を有している。電気コンタクト２５２は、ドーターカード８０上の回路配線８２に電気的に接続されており、また、電気コネクタ２２４が受入空洞２６に挿入されると受入空洞２６の側壁３４上の回路配線４４と接触するように配置されている。電気コネクタ２２４は、噛み合うプリント回路基板２２と電気コネクタ２２４との間のいかなる必要な順応性をももたらす。コネクタ２２４の電気コンタクト２５２と受入空洞２６内の回路配線４４との間の係合力は、回路配線４４を支持する側壁３４の平面に実質的に垂直である。したがって、側壁３４がプリント回路基板２２のＸ−Ｙ平面に垂直であるとき、コネクタ２４の電気コンタクト２５２と受入空洞２６内の回路配線４４との間の係合力は、プリント回路基板２２のＸ−Ｙ平面に実質的に平行である。一実施形態において、電気接点２５２は、電気コネクタ２４が受入空洞２６に挿入されると撓む弾性部材である。図示した実施形態において、電気接点２５２は、電気コネクタ２２４が受入空洞２６に挿入されると内向きに撓むＵ字型部材である。別の実施形態において、電気コネクタ２２４の誘電体２５０はそれ自体、機械的順応性を有しており、したがって、誘電体２５０は、電気コネクタ２２４が受入空洞２６に挿入されると変形する。電気コネクタ２２４は、改善されたインピーダンス制御を相互接続システムにもたらすために、誘電体２５０上に配置された導電性シールド部材を所望により備える。
【００１７】
一実施形態において、電気コネクタ２２４および受入空洞２６は、電気コネクタ２２４が受入空洞２６内で間違って方向付けられるのを防止するために、図１３に関して上述した極性化機構を備えている。電気コネクタ２２４および受入空洞２６はまた、図１に関して上述したように、電気コネクタ２２４を受入空洞２６内に維持するために、協働するラッチ機構または保持機構を有してもよい。
【００１８】
図５および６の電気相互接続システムは、単一の電気コネクタ２２４を備えている。しかしながら、本発明による別の実施形態において、相互接続システムは、１つ以上の電気コネクタ２２４を備えている。図７および８を参照すると、ドーターカード８０が示されているが、そのドーターカード８０は、第２のプリント回路基板１２２と噛み合うための第２の電気コネクタ３２４に接続されており、その第２のプリント回路基板１２２は、それを完全に貫いて延びる受入空洞１２６を有している。第２のプリント回路基板１２２の受入空洞１２６は、受入空洞１２６の少なくとも１つの側壁１３４上に少なくとも１つの回路配線１４４を備えている。第２の電気コネクタ３２４は、ドーターカード８０に取り付けるために、また、第２のプリント回路基板１２２の受入空洞１２６に挿入するために構成されている。第２の電気コネクタ３２４は、上述の電気コネクタと同様に構成されているが、ドーターカード８０が第２のプリント回路基板１２２を貫いて第１の電気コネクタ２２４へと延びることが可能となっている。このようにして、ドーターカード８０上の回路配線８２を、第１および第２のプリント回路基板２２、１２２の一方または双方にそれぞれ選択的に接続することができる。図示した実施形態において、第２の電気コネクタ３２４は、ドーターカード８０の対向する側部に装着された別個のコネクタ半部３２５ａ、３２５ｂを備えており、各コネクタ半部３２５ａ、３２５ｂは、誘電体２５０および電気コンタクト２５２の一部分を有している。別の実施形態において、第２の電気コネクタ３２４は、単一のユニットを備えてもよい。
【００１９】
ここで図９を参照すると、本発明による電気相互接続システムの別の実施形態が示されており、ここで、図１〜８に関して説明した要素と類似した要素は、同様に符号が付けられている。図９の実施形態において、電気コネクタ４２４は、フレキシブル回路９０に取り付けるために構成されている。プリント回路基板２２および受入空洞２６は、図１〜４に関して上述したものと類似している。電気コネクタ４２４は、電気ケーブル７０と共に使用するための上述の電気コネクタ２４と実質的に同一であるが、誘電体５０および電気コンタクト５２は、フレキシブル回路およびその上の回路配線９２に取り付けるために改善されている。別の実施形態においては、プリント回路基板と共に使用するための電気コネクタ３２４と同様に、電気コネクタ４２４は、フレキシブル回路９０の両側に装着された別個のコネクタ半部を備えている。図９の電気相互接続システムは、単一の電気コネクタ４２４を示している。しかしながら、本発明による別の実施形態において、相互接続システムは、図３、４、７および８に関して説明したように、１つ以上の電気コネクタ４２４を備えている。
【００２０】
ここで図１０を参照すると、本発明による電気相互接続システムの別の実施形態が示されている。電気コネクタ６２４は、２つ以上のプリント回路基板２２、１２２を連結するためのメザニンコネクタとして形成されている。電気コネクタ６２４は、第１のプリント回路基板２２の受入空洞２６に挿入するために構成された第１の部分６３０と、第２のプリント回路基板１２２の受入空洞１２６に挿入するために構成された第２の部分６３２とを有している。第１および第２の部分６３０、６３２それぞれは、コネクタ６２４が受入空洞２６、１２６に挿入されると、対応する受入空洞２６、１２６の側壁３４、１３４上の回路配線４４、１４４と係合するように配置された電気コンタクト６５２を有している。コネクタ６２４を貫く導電路（図示せず）は、第１および第２の部分６３０、６３２における電気コンタクト６５２を電気的に相互接続している。２つのみのプリント回路基板２２、１２２が示されているが、電気コネクタ６２４は、図示したものと一貫した方式で追加的なプリント回路基板に接続するために構成することができる。別の実施形態において、メザニンコネクタ６２４は、図１〜９に関して上述したように、電気ケーブル７０、フレキシブル回路９０または別のプリント回路基板８０との接続のためにさらに構成されている。
【００２１】
本明細書で説明した実施形態のそれぞれにおいて、すべてのポリマー部品は、意図する用途に対して望ましい機械的特性および電気的特性を有する好適な熱可塑性材料から成型される。導電金属部品は、例えばメッキした銅合金材料でできているが、例えば、他の好適な材料が当業者には思いつくであろう。一実施形態において、相互接続システムの材料、幾何学的形状および寸法はすべて、特性のインピーダンスをシステム全体を通じて維持するように設計されている。
【００２２】
好ましい実施形態の説明を目的として、特定の実施形態を本明細書で例示し説明してきたが、同じ目的を達成するように計算された多種多様な他の実現形態および／または等価な実現形態が、本発明の範囲から逸脱することなく、図示し説明した特定の実施形態の代わりとなりうることは、当業者には理解されよう。機械、電気機械、および電気の分野における当業者には、本発明が非常に多種多様な実施形態で実現されうることは容易に理解されよう。本願は、本明細書で論じた好ましい実施形態のいかなる改作または変型をも包含することを意図したものである。したがって、本発明が特許請求の範囲およびその等価物によってのみ限定されることが、明白に意図されている。
【図面の簡単な説明】
【００２３】
【図１】本発明による、分離状態にある電気相互接続システムの一実施形態の斜視図。
【図２】係合状態にある図１の電気相互接続システムの斜視断面図。
【図３】２枚のプリント回路基板と共に使用した、図１の電気相互接続システムの別の実施形態の斜視図。
【図４】図３の電気相互接続システムの横断面図。
【図５】本発明による、分離状態にある電気相互接続システムの別の実施形態の斜視図。
【図６】係合状態にある図５の電気相互接続システムの斜視断面図。
【図７】２枚のプリント回路基板と共に使用した、図５の電気相互接続システムの別の実施形態の斜視図。
【図８】図７の電気相互接続システムの横断面図。
【図９】本発明による、分離状態にある電気相互接続システムの別の実施形態の斜視図。
【図１０】本発明による、２枚のプリント回路基板と共に使用した電気相互接続システムの別の実施形態の図。
【図１１】本発明の実施形態による、プリント回路基板内の受入空洞の曲線状側壁を示す図。
【図１２】本発明の実施形態による、プリント回路基板の平面に対して傾斜した、プリント回路基板内の受入空洞の側壁を示す図。
【図１３】本発明の実施形態による電気相互接続システムの例示的な極性化およびキーイング機構の図。
【図１】
2008544465.tif 000003
【図２】
2008544465.tif 000004
【図３】
2008544465.tif 000005
【図４】
2008544465.tif 000006
【図５】
2008544465.tif 000007
【図６】
2008544465.tif 000008
【図７】
2008544465.tif 000009
【図８】
2008544465.tif 000010
【図９】
2008544465.tif 000011
【図１０】
2008544465.tif 000012
【図１１】
2008544465.tif 000013
【図１２】
2008544465.tif 000014
【図１３】
2008544465.tif 000015
【国際調査報告】
2008544465.tif 000016
2008544465.tif 000017
2008544465.tif 000018